(57)【要約】【課題】毎年の米の出来栄えに適した所望の炊飯プログラム選択を自由に選択、実施でき、炊飯器を買い換えることなく、毎年最新の炊飯プログラムで炊飯することができること。【解決手段】無線通信手段５は、無線通信端末３０と無線通信を行うアンテナ３１と無線信号処理部３２より構成し、アンテナ３１は無線信号処理部３２のＲＦ通信インターフェースに接続されており、無線通信端末３０から炊飯プログラム選択手段３３により選択された毎年の米の出来栄えに応じて、前炊き工程の時間および温度や沸騰維持工程の火力（通電率）を変更した情報を無線受信したとき、無線信号処理部３２は、有線接続されている伝送手段６を介して情報を受信情報解読手段７へ出力し、受信情報解読手段７は、伝送手段６から送られてきた情報を解読するもので、無線通信端末３０から炊飯プログラム選択要求を解読したとき、制御手段８へ炊飯プログラム選択情報を出力する。【選択図】図１
2015066065.tif 000002
【特許請求の範囲】
【請求項１】
米及び水を入れる鍋と、前記鍋を加熱する加熱手段と、複数の炊飯メニューから所望の炊飯メニューを選択するメニュー選択手段と、複数の炊飯プログラムを記憶している炊飯プログラム記憶手段と、炊飯開始を要求する開始手段と、無線通信端末との間で無線通信を行う無線通信手段と、前記無線通信端末において、毎年のお米の出来栄えに応じて、炊飯プログラムを変更および選択できる炊飯プログラム選択手段と、前記無線通信手段との間で双方向に情報の授受を行う伝送手段と、前記伝送手段で受信した情報を解読する受信情報解読手段と、前記開始手段からの要求により前記メニュー選択手段で選択され前記記憶手段に記憶された前炊き工程及び沸騰維持工程を含む前記炊飯プログラムまたは前記受信情報解読手段から入力した炊飯プログラム情報をもとに前記加熱手段を制御する制御手段と、を備え、前記制御手段は、前記炊飯プログラム選択手段により選択した毎年のお米の出来栄えに応じて、前記前炊き工程の時間及び温度を変更して炊飯するようにした炊飯器。
【請求項２】
前記制御手段は、前記炊飯プログラム選択手段により選択した毎年のお米の出来栄えに応じて、前記沸騰維持工程の火力である通電率を変更して炊飯するようにした請求項１に記載の炊飯器。
【発明の詳細な説明】
【技術分野】
【０００１】
本発明は、無線通信機能を有した炊飯器に関するものである。
【背景技術】
【０００２】
近年、地球温暖化に伴い、西日本を中心に猛暑日が増え、登熟期の気温が高すぎると、米粒が白く濁ったり（白未熟粒）、割れたり（胴割粒）する登熟障害や食味の低下が発生している。その対策として、田植え時期を遅らせるなどの高温回避栽培のほか、暑さに強い「高温登熟耐性品種」の開発など耐高温品種の育成など、良質・良食味米生産を目指した品種改良や栽培方法の変更が多く行なわれており、毎年新しい品種の米がたくさん出てきている。また、社会構造の変化により核家族化が進むと共に、女性の社会進出、高齢化世帯の増加により、炊飯器に求める使用者のニーズが多様化してきている。子供からお年寄りまで好みに合った硬さで炊きたいという嗜好の多様化や、こしひかり、ササニシキ、あきたこまちなど米の種類や銘柄米をそれぞれに適した炊き方で炊きたいなどの要望が増加している。
【０００３】
従来、この種の炊飯器は、例えば、特許文献１や特許文献２に開示されたものがある。
【０００４】
図４に示すように、特許文献１の炊飯器は、所望の炊飯メニューを実施したい場合、炊飯器のメニュー選択手段３により炊飯メニューを選択した後、開始手段４の操作により制御手段５が加熱手段２を制御して炊飯開始するよう構成されている。
【０００５】
また、炊飯器のメニュー選択手段により炊飯メニューを選択した場合、炊飯メニューの炊飯プログラムは既に決まったものであり、一般家庭において、一般使用者が自由に変更できるものではなかった。
【０００６】
特許文献２の炊飯器は、バーコードを読み取るバーコード読取手段を備え、バーコード読取手段からの信号に基づいて、炊飯メニューに応じた基本の炊飯シーケンスデータを変更（調整）出来るように構成されている。
【０００７】
図５は、特許文献１に記載された従来の精白米を炊飯制御する加熱パターンを示すものである。ここで、図５を参照しながら従来の精白米を炊飯する炊飯器の動作を説明する。なお、第１の温度検知手段は沸騰を検知するものであり、第２の温度検知手段は被調理物を入れる鍋の温度を検知するものである。
【０００８】
図５に示すように、炊飯を開始すると、第１の電力Ｗ１で加熱する前炊き工程に入る。前炊き工程は、第２の温度検知手段により検知した鍋の温度が所定の温度θ１より低い場合は、鍋を加熱する加熱手段を作動し、所定の温度θ１以上の場合は加熱手段の作動を停止するようにしながら鍋内の温度をθ１に保つ。
【０００９】
一定時間Ｔ１経過後に前炊き工程を終了し、Ｗ２＞Ｗ１である第２の電力Ｗ２による炊き上げ工程に入る。炊き上げ工程開始から沸騰維持工程にかけて一定時間Ｔ２が経過するか、あるいは第１の温度検知手段により所定の温度φ１を検知した時点で、Ｗ２＞Ｗ１である第１の電力Ｗ１とし、以降の工程を続行させる。
【００１０】
炊き上げ工程では、第２の温度検知手段により所定の温度θ２を検知してから第１の温度検知手段により所定の温度φ１を検知するまで第２の電力Ｗ２、炊飯量によっては第１の電力Ｗ１で加熱し、その際の温度上昇率から炊飯量を判定し、炊飯量に応じた火力で次
の沸騰維持工程を行う。
【００１１】
沸騰維持工程の電力はＷ１とし、任意の時間周期における通電率を変えることで火力を調整する。第２の温度検知手段により所定の温度θ３を検知すると、沸騰維持工程を終了する。その後、蒸らし工程に入り、一定時間の間に複数回の炊飯量に応じた加熱（追い炊き）を行う。
【先行技術文献】
【特許文献】
【００１２】
【特許文献１】特開２００６−１４１７６３号公報
【特許文献２】特開２００６−３２６２８９号公報
【発明の概要】
【発明が解決しようとする課題】
【００１３】
しかしながら、従来の構成では、炊飯器に搭載されている炊飯プログラムは一般使用者が自由に変更することができないため、毎年のお米の出来栄えに応じて、炊飯シーケンスを調整することができないという課題を有していた。
【００１４】
本発明は、前記従来の課題を解決するもので、毎年のお米の出来栄えに応じた所望の炊飯プログラムを自由に選択および変更でき、炊飯器を買い換える必要がなく、お米に最適な炊飯プログラムで炊飯し、常によりおいしいご飯を炊くことができる炊飯器を提供することを目的とする。
【課題を解決するための手段】
【００１５】
前記従来の課題を解決するために、本発明の炊飯器は、米及び水を入れる鍋と、前記鍋を加熱する加熱手段と、複数の炊飯メニューから所望の炊飯メニューを選択するメニュー選択手段と、炊飯開始を要求する開始手段と、無線通信端末との間で無線通信を行う無線通信手段と、前記無線通信端末において、毎年のお米の出来栄えに応じて、炊飯プログラムを選択および変更できる炊飯プログラム選択手段と、前記無線通信手段との間で双方向に情報の授受を行う伝送手段と、前記伝送手段で受信した情報を解読する受信情報解読手段と、前記開始手段からの要求により前記メニュー選択手段で選択され前記記憶手段に記憶された前炊き工程及び沸騰維持工程を含む前記炊飯プログラムまたは前記受信情報解読手段から入力した炊飯プログラム選択情報をもとに前記加熱手段を制御する制御手段と、を備え、前記制御手段は、前記炊飯プログラム選択手段により選択した毎年のお米の出来栄えに応じて、前記前炊き工程の時間や温度および沸騰維持工程の火力（通電率）を変更して炊飯するようにしたことを特徴とする。
【００１６】
これによって、炊飯器を買い換えることなく、毎年のお米の出来栄えに合わせて、各お米の炊飯プログラム調整を無線通信手段を用いて行なうことにより、毎年最新の炊飯シーケンスで炊飯することが可能となる。
【発明の効果】
【００１７】
本発明の炊飯器は、所望の炊飯プログラムを選択する場合、無線通信端末から使用者が毎年のお米の出来栄えに合わせた炊飯プログラム選択および変更を行うことができるので、炊飯器を買い換える必要がなく、毎年最新のシーケンスで炊飯することができ、常によりおいしいご飯を提供することができる。また、無線通信端末に、例えば、各炊飯プログラム選択を行うショートカットを登録しておきこのショートカットを選択したときにプログラム選択情報を無線送信するようにし、炊飯器は該プログラム選択情報を無線通信手段を介して受信することにより、所望の炊飯プログラムの選択を簡単に行うことができ、炊飯器の使い勝手を向上することができる。
【図面の簡単な説明】
【００１８】
【図１】本発明の実施の形態１における炊飯器の構成を示すブロック図
【図２】本発明の実施の形態１における炊飯器の状態遷移図
【図３】本発明の実施の形態１における炊飯器の動作タイムチャート
【図４】従来の炊飯器の構成を示すブロック図
【図５】従来の炊飯器の動作タイムチャート
【発明を実施するための形態】
【００１９】
第１の発明は、米及び水を入れる鍋と、前記鍋を加熱する加熱手段と、複数の炊飯メニューから所望の炊飯メニューを選択するメニュー選択手段と、炊飯開始を要求する開始手段と、無線通信端末との間で無線通信を行う無線通信手段と、前記無線通信端末において、使用者が毎年のお米の出来栄えに応じて、炊飯プログラムを選択および変更できる炊飯プログラム選択手段と、前記無線通信手段との間で双方向に情報の授受を行う伝送手段と、前記伝送手段で受信した情報を解読する受信情報解読手段と、前記開始手段からの要求により前記メニュー選択手段で選択され前記記憶手段に記憶された前炊き工程及び沸騰維持工程を含む前記炊飯プログラムまたは前記受信情報解読手段から入力した炊飯プログラム選択情報をもとに前記加熱手段を制御する制御手段とを備え、前記制御手段は、前記制御手段は、前記炊飯プログラム選択手段により選択した毎年のお米の出来栄えに応じて、前炊き工程の時間および温度を変更して炊飯するようにしたことにより、常によりおいしいご飯を炊くことができる。
【００２０】
第２の発明は、特に、第１の発明において、前記制御手段は、前記炊飯プログラム選択手段により選択した毎年のお米の出来栄えに応じて、前記沸騰維持工程の火力である通電率を変更して炊飯するようにしたことにより、常によりおいしいご飯を炊くことができる。
【００２１】
以下、本発明の実施の形態について、図面を参照しながら説明する。なお、この実施の形態によって、本発明が限定されるものではない。
【００２２】
（実施の形態１）
以下に本発明を適用してなる炊飯器である実施例装置について説明する。図１は、本発明の第１の実施の形態である炊飯器の構成を示すブロック図である。
【００２３】
図１において、鍋１は米や水を入れる磁性体製の容器であり、加熱手段２により、誘導加熱される。加熱手段２は、鍋１の底面に配置された加熱コイル２０とこの加熱コイル２０に高周波電流を供給するインバータ回路２１とにより構成されている。
【００２４】
メニュー選択手段３は、炊飯前に炊飯メニューを選択するものであり、例えばスイッチとＣＰＵ（Ｃｅｎｔｒａｌ  Ｐｒｏｃｅｓｓｉｎｇ  Ｕｎｉｔ）等の半導体素子から構成している。本実施例装置では、以下の１０種類の炊飯メニューを搭載している。
（１）白米
（２）無洗米
（３）早炊き
（４）少量
（５）炊込み
（６）おかゆ
（７）玄米
（８）すし
（９）発芽玄米
（１０）雑穀米
メニュー選択手段３であるスイッチを操作するたびに、ＣＰＵはその信号を受け、上記炊飯メニューの番号の小さい方から大きいほうへ順に選択を替えるようにしている。例えば、白米を選択する場合はスイッチを１回、雑穀米を選択する場合はスイッチを１０回操作する。雑穀米選択からスイッチを操作したときは、白米へ選択が戻るようにしている。
【００２５】
開始手段４は、炊飯開始を要求するもので、例えばスイッチとＣＰＵ等の半導体素子から構成しており、炊飯メニュー選択の後にスイッチを操作することで、該炊飯メニューを開始するものである。
【００２６】
無線通信手段５は、無線通信端末３０と無線通信を行うもので、アンテナ３１と無線信号処理部３２より構成している。アンテナ３１は、無線通信端末３０が近づけられたとき、無線電波を受信または送信するもので、無線信号処理部３２のＲＦ通信インターフェースに接続されている。無線信号処理部３２は、例えばＲＦＩＤタグＬＳＩで構成しており、ＲＦ通信インターフェースの機能とシリアル通信インターフェースの機能を実装する中継装置である。無線通信端末３０は炊飯プログラム選択手段３３により毎年のお米の出来栄えに応じて、使用者のお米に適した炊飯プログラムが選択可能になっている。炊飯プログラム選択手段３３は、前炊き工程の時間や温度、沸騰維持工程の火力などを変更できるようにした炊飯プログラムが選択できるように構成されている。
【００２７】
伝送手段６は、有線通信を行うもので、例えばＵＡＲＴシリアル通信回路であり、無線信号処理部３２と有線接続されている。無線信号処理部３２との間で情報を伝達する場合は、伝送手段６を介してＵＡＲＴシリアル通信により情報をやりとりするようにしている。
【００２８】
ここで通信方式をＵＡＲＴシリアル通信としているが、これは同期式シリアル通信で行っても、もちろん良い。
【００２９】
受信情報解読手段７は、伝送手段６から送られてきた情報を解読するもので、例えばＣＰＵにより構成している。
【００３０】
制御手段８は、例えばＣＰＵ等の半導体素子からなり、図示していないが鍋１底面に配設した鍋１の温度を検知する温度センサからの信号を入力し、調理動作時は理想の温度カーブを描くよう所定のシーケンスに基づき、加熱手段２のインバータ回路２１から加熱コイル２０に供給する電力を制御している。尚、前記制御手段８は、当該制御手段８内に格納されている制御プログラムに基づいて各ブロックの制御を司る。
【００３１】
表示手段９は、例えばＬＣＤ（Ｌｉｑｕｉｄ  Ｃｒｙｓｔａｌ  Ｄｉｓｐｌａｙ）液晶表示装置からなり、選択の炊飯メニューなどを表示する。
【００３２】
ここで、制御手段８の動作状態を図２の状態遷移図を用いて説明する。
【００３３】
図２において、制御手段８には、ａ１からａ６の動作状態がある。待機状態ａ１は、通電はされているが、何も動作を行っていない状態であり、該状態において加熱手段２による加熱は行っていない。待機状態ａ１からメニュー選択手段３によるメニュー選択要求を受けたときは、メニュー選択状態ａ２となる。メニュー選択状態ａ２において、メニュー選択手段３による炊飯メニュー選択情報を表示手段９へ出力し、表示するようにしている。また該状態において、加熱手段２による加熱は行わない。メニュー選択状態ａ２において、開始手段４からの開始要求を受けると炊飯状態ａ３となる。炊飯状態ａ３では、炊飯メニュー選択情報に対応して予め定められた炊飯シーケンスプログラム（以下単にシーケ
ンスと呼ぶ）に基づいて、図示していない鍋１の温度を検知する温度センサからの信号を入力し、加熱手段２による加熱制御を行う。炊飯状態ａ３において、シーケンス動作が終了すると、保温状態ａ４に移行するようにしている。保温状態ａ４では、鍋１内を約７０℃に保つよう加熱手段２を加熱制御している。また、メニュー選択状態ａ２で、図示していないが、予約設定スイッチによる予約要求を受けたときは、予約待機状態ａ５に移行するようにしている。予約待機状態ａ５では、所望の時刻に炊き上げするための炊飯開始待ち状態であり、加熱手段２による加熱は行わない。例えば朝の７時に炊き上げたい場合、制御手段８はその１時間前である６時を炊飯開始時刻として計算し、該炊飯開始時刻到達まで予約待機状態ａ５を維持するようにしている。予約待機状態ａ５で炊飯開始時刻に到達した場合は、炊飯開始状態ａ３に移行する。また、図示していないが、本実施例装置において、機器設定を行うための機器設定スイッチが備えられえており、待機状態ａ１で該機器設定スイッチを操作すると機器設定状態ａ６に移行するようにしている。機器設定状態ａ６は、現在時刻の設定や、保温温度の変更、炊飯における焦げ目調整のための温度変更が行える。
【００３４】
ここで、毎年のお米に適した炊飯シーケンスについて説明する。ご飯をおいしく炊くためには、例えば、夏期に猛暑が続き、登熟期の気温が高すぎると、米粒が白く濁ったり（白未熟粒）、割れたり（胴割粒）する登熟障害が発生する。そのような米の場合は、吸水により粒が崩れやすく、べたついてやわらかいご飯になりやすいため、前炊き温度を低めにし、前炊き時間を長くすることにより、粒表面の崩れを防止し、粒のバランスのよいご飯を炊くことができる。前記の条件において、ご飯が改善しない場合は、前炊き時間を短くする。
【００３５】
また、例えば、肥料（窒素）をたくさんやり過ぎると、米粒の表面近くの層にタンパク質の一種であるプロラミンが多くなり、ご飯を炊くときに水が入りにくいように邪魔をするためふっくらとしたご飯にならない。そのような米の場合、お米の吸水を促進するため、前炊き時間を長くする、またはふっくらとしたご飯にするため、沸騰維持工程の火力（通電率）を高くすることにより、粒のバランスがよく、粒の中までふっくらとしたご飯を炊くことができる。
【００３６】
また、例えば、台風により稲が倒伏した場合、受光態勢が悪くなり、屑米などが多くなり、ベタついてやわらかいご飯になりやすい。そのような米の場合、前炊き時間を短くすることにより、粒表面の崩れを防止し、粒のバランスのよいご飯を炊くことができる。前記の条件において、ご飯が改善しない場合は、前炊き温度または沸騰維持工程の火力（通電率）を変更するとよい。
【００３７】
次に、図３を参照しながら、制御手段８の炊飯シーケンスの炊飯動作を説明する。
【００３８】
図３に示すように、炊飯を開始すると、第１の電力Ｗ１で加熱する前炊き工程に入る。前炊き工程は、第２の温度検知手段により検知した鍋の温度が所定の温度θ１より低い場合は、鍋を加熱する加熱手段を作動し、所定の温度θ１以上の場合は加熱手段の作動を停止するようにしながら鍋内の温度をθ１に保つ。
【００３９】
夏期に猛暑が続き、米粒が白く濁ったり（白未熟粒）、割れたり（胴割粒）する登熟障害が発生したときは通常に比べ、粒が崩れやすいため、前炊き工程の時間を、たとえば２分短くする。
【００４０】
または、前炊き工程の温度を約２℃下げ、前炊き時間を、たとえば３分長くする。また、この前炊き工程の時間および温度は毎年のお米の出来栄えに合わせて変更することができる。
【００４１】
一定時間Ｔ１経過後に前炊き工程を終了し、Ｗ２＞Ｗ１である第２の電力Ｗ２による炊き上げ工程に入る。炊き上げ工程開始から沸騰維持工程にかけて一定時間Ｔ２が経過するか、あるいは第１の温度検知手段により所定の温度φ１を検知した時点で、Ｗ２＞Ｗ１である第１の電力Ｗ１とし、以降の工程を続行させる。ここでは、Ｗ１は１０００Ｗ、Ｗ２は１２００Ｗ、Ｔ１は２２分５６秒、Ｔ２は３２秒、φ１は７５℃、θ１は５６℃とする。
【００４２】
炊き上げ工程では、第２の温度検知手段により所定の温度θ２を検知してから第１の温度検知手段により所定の温度φ１を検知するまで第２の電力Ｗ２、炊飯量によっては第１の電力Ｗ１で加熱し、その際の温度上昇率から炊飯量を判定し、炊飯量に応じた火力で次の沸騰維持工程を行う。ここでは、θ２は７８℃とする。
【００４３】
沸騰維持工程の電力はＷ１とし、任意の時間周期における通電率を変えることで火力を調整する。また、沸騰維持工程の通電率を低めに設定することにより、沸騰維持工程の通電率が高くなりすぎることにより粒がくずれてバランスの悪いご飯となるのをなくすことができる。第２の温度検知手段により所定の温度θ３を検知すると、沸騰維持工程を終了する。ここでは、θ３は１３２℃とする。その後、蒸らし工程に入り、一定時間の間に複数回の炊飯量に応じた加熱（追い炊き）を行う。
【００４４】
以上の炊飯工程を通して、炊飯量に関係なく、毎年のお米の出来栄えに応じた所望の炊飯プログラムを自由に選択および変更でき、炊飯器を買い換える必要がなく、お米に最適な炊飯プログラムで炊飯し、常によりおいしいご飯を炊くことができる。なお、本実施の形態におけるＴ１、Ｔ２、θ１、θ２、θ３、φ１、Ｗ１、Ｗ２の値は実施の一例であり、状況に応じて数値を設定することができる。
【００４５】
また、鍋１を加熱する加熱手段２として誘導加熱方式を用いた炊飯器では、特に高い電力を使用することができるとともに、熱応答性が良く、細かな制御が可能なため、無洗化処理米をおいしく炊く炊飯器を提供するのに適している。また、ヒータ式およびガス炊飯器等においても、電力と熱応答性に劣るため誘導加熱式より効果は劣るが、支障はないものである。
【００４６】
以上のように構成された実施例装置において、無線通信端末３０を使い、炊飯プログラム選択を行う方法について説明する。
【００４７】
無線通信端末３０と無線通信手段５との間では、予め定められた通信プロトコルにより、通信するように取り決めている。無線通信端末３０が実施例装置へ近づけられると、無線通信手段５は、アンテナ３１を介して無線情報を受け取る。無線信号処理部３２は、タグ情報の読込み要求を受けると、タグ情報をアンテナ３１を介して無線通信端末３０へ無線により送信する。無線通信端末３０は、このタグ情報により、目的の炊飯器であることを認識すると、次に炊飯器を制御する情報を送信する。以下、無線通信端末３０との間でやりとりする情報を電文と呼ぶ。本実施の形態では、炊飯プログラムの選択制御を行うので、通信情報端末３０からは、炊飯プログラム選択情報を電文として送信する。この炊飯プログラム情報は、無線通信端末３０のアプリケーション上でショートカット登録されているものを単に選択するだけで、目的の炊飯プログラム情報が送信されるようになっている。その後、無線信号処理部３２は無線により受信した電文を、伝送手段６へＵＡＲＴシリアル通信により、有線送信する。伝送手段６は、該電文を、受信情報解読手段７へ送る。
【００４８】
無線通信端末３０から送られてくる電文は、通信プロトコルに従って、送信されてくる
ので、受信情報解読手段７で解読する必要がある。例えば、要求コマンド１バイト、データｎバイト（要求コマンドの内容でバイト数は変化する）、通信誤り検出のためのチェックサム１バイトが１セットで送られてくるとする。炊飯メニュー選択の要求コマンドは「０ｘ８０」、そして続くデータで「１」〜「１０」を指定することで、炊飯メニューに割り付けられた数字が送られてくるとする。受信情報解読手段７は、送られてきた電文の要求コマンドを解釈し、「０ｘ８０」であれば、次のデータ１バイトを炊飯メニュー選択データとして、制御手段８へ炊飯メニュー選択情報を出力する。制御手段８は受信情報解読手段７からの情報を受け取り、メニュー選択手段３による選択の有無に関わらす、炊飯プログラム選択を該情報に基づき変更する。制御手段８は、炊飯プログラム選択状態を受け付けたとき、メニュー選択状態ａ２へ移行するように構成する。
【００４９】
以上のように、複数の炊飯プログラムから選択する炊飯メニューの選択は、メニュー選択手段３による操作でも行え、さらに無線通信端末３０によっても行えるものである。メニュー選択手段３で選択途中でも、無線通信端末３０による要求により、優先して炊飯メニュー選択が実施できるものである。これにより、例えば雑穀米メニューを実施したい場合、実施例装置ではメニュー選択手段３を１０回操作する必要があったが、無線通信端末３０を使用する場合、無線通信端末３０のアプリケーション上において、無洗米メニューのショートカットを選択、そしてアンテナ３１へ近づけるだけで炊飯メニュー選択ができる。
【００５０】
また、受信情報解読手段７は電文を解読することで、予約や機器設定を行えるようにすることも可能である。予約を行いたい場合、例えばその要求コマンドを「０ｘ８１」とし、続くデータ３バイトのうち、１バイトを炊飯メニュー選択情報、２バイトで炊き上げたい時刻として送信すればよい。受信情報解読手段７が予約の要求コマンドを受けたとき、制御手段８へ予約要求と炊飯メニューと炊き上げたい時刻の情報を出力し、制御手段８は該情報を受けたとき、予約待機状態ａ５へ移行させるようにすれば良い。また、機器設定も同様に、例えば時刻設定を行う要求コマンドを「０ｘ８２」とし、続くデータ２バイトで変更したい時刻を送信すればよい。受信情報解読手段７が予約の要求コマンドを受けたとき、制御手段８へ時刻設定要求と変更したい時刻の情報を出力し、制御手段８は該情報を受けたとき、機器設定状態ａ６へ移行させるようにすれば良い。以上のように、各要求コマンドの受付によって、各状態に変化させることで、通信を行わずスイッチ操作したときと手順を共用にできるので、使用者は続く操作に特別な操作を必要とせず、通常の使い方ができる。
【００５１】
なお、実施例装置において、電文による要求コマンドの受付は炊飯や保温など、加熱手段２による加熱を行わない待機状態ａ１またはメニュー選択状態ａ２でのみ受け付けるようにすると、加熱手段２から発生するノイズにより、電文を誤って受信するのを防ぐ効果がある。また、実施例装置においては、時刻合わせなどの機器設定状態ａ６を搭載しているが、機器設定状態ａ６において、電文による機器設定要求以外の要求コマンドは受付ないようにしている。これは、機器設定状態ａ６で設定途中のものを中途半端に確定させないためである。
【産業上の利用可能性】
【００５２】
本発明は、無線通信端末と通信を行い制御する電気製品に適用できる。
【符号の説明】
【００５３】
１  鍋
２  加熱手段
３  メニュー選択手段
４  開始手段
５  無線通信手段
６  伝送手段
７  受信情報解読手段
８  制御手段
９  炊飯プログラム選択手段
【図１】
2015066065.tif 000003
【図２】
2015066065.tif 000004
【図３】
2015066065.tif 000005
【図４】
2015066065.tif 000006
【図５】
2015066065.tif 000007